(57)【要約】【課題】電話会議専用の設備を必要とせずに、インターネット上に接続されているパソコンを用いて３者間での電話会議を可能とさせることを目的としている。【解決手段】  第１接続呼で左右何れかの受話器を使用するかの受話器選択情報を記憶装置に記憶させ、ユーザの入力情報と接続先のクライアントからの制御信号に基づき会議呼の状態を制御し、前記受話器選択情報に基づき送話・受話の音声接続制御情報を生成し、前記音声接続制御情報に基づき音声制御装置からの送話入力を送話パケットとして通信ネットワークを介して接続先クライアントに送信し、接続先クライアントから受信した受話音声パケットを音声制御装置に出力するようにコンピュータを機能させる。【選択図】図１
2006108761.tif 000002
【特許請求の範囲】
【請求項１】
第１接続呼で左右何れかの受話器を使用するかの受話器選択情報を記憶装置に記憶させる受話器情報記憶手段と、
ユーザからの入力情報、およびユーザに対する出力情報の入出力制御を行う入出力制御手段と、
通信ネットワークを介して接続先のクライアント宛て制御信号を送信し、接続先のクライアントからの制御信号を受信する信号処理手段と、
前記入出力制御手段が入力したユーザの入力情報と前記信号処理手段が受信した接続先のクライアントからの制御信号に基づき会議呼の状態制御、接続先のクライアント宛て制御信号の生成、及び前記受話器選択情報に基づき送話・受話の音声接続制御情報を生成する呼制御手段と、
前記音声接続制御情報に基づき、音声制御装置からの送話入力を送話パケットとして通信ネットワークを介して接続先クライアントに送信し、通信ネットワークを介して接続先クライアントから受信した受話音声パケットを音声制御装置に出力する音声制御手段として
コンピュータを機能させることを特徴とする会議呼制御プログラム。
【請求項２】
電話会議の発起人となる会議呼制御クライアントの呼制御手段は、会議毎にユニークな会議ＩＤを生成し、前記会議ＩＤを接続先のクライアント宛て制御信号に付加して信号処理手段に送信することを特徴とする請求項１記載の会議呼制御プログラム。
【請求項３】
第１接続呼で左右何れかの受話器を使用するかの受話器選択情報を記憶装置に記憶させる受話器情報記憶手段と、
ユーザからの入力情報、およびユーザに対する出力情報の入出力制御を行う入出力制御手段と、
通信ネットワークを介して接続先のクライアント宛て制御信号を送信し、接続先のクライアントからの制御信号を受信する信号処理手段と、
前記入出力制御手段が入力したユーザの入力情報と前記信号処理手段が受信した接続先のクライアントからの制御信号に基づき会議呼の状態制御、接続先のクライアント宛て制御信号の生成、及び前記受話器選択情報に基づき送話・受話の音声接続制御情報を生成する呼制御手段と、
前記音声接続制御情報に基づき、音声制御装置からの送話入力を送話パケットとして通信ネットワークを介して接続先クライアントに送信し、通信ネットワークを介して接続先クライアントから受信した受話音声パケットを音声制御装置に出力する音声制御手段と
を有することを特徴とする会議呼制御装置。
【発明の詳細な説明】
【技術分野】
【０００１】
本発明は電話会議に関し、特に大がかりな電話会議専用の設備を必要とせずにインターネット上に接続されているパソコンを用いて３者間での電話会議を可能とさせる会議呼制御の技術に関するものである。
【背景技術】
【０００２】
従来、電話会議を行うためにはそれぞれの拠点に電話会議を行うための専用の電話会議装置が必要であった。そのため、電話会議に参加する者は予め電話会議装置を設置した電話会議専用の会議室に出向く必要があり、また、電話会議専用の会議室の予約も必要となり、急を要する会議には利用できないなど不便な点が多々あった。
【０００３】
更に、例えばＡさんとＢさんが電話中であったときに、新たにＣさんを交えて３者で会議をしたい場合でも上記のような電話会議装置を設置した電話会議専用の会議室が必要となり効率的な会議の開催が出来ず不便であった。
【０００４】
例えば、電話会議システムの形態や電話会議予約方式に関しては、「総ての電話会議装置が保有するリソースの使用状態を、共通のリソース共通管理手段で一括して、または各電話会議装置に設けられたリソース相互管理手段で相互に連繋し乍ら分担して管理し、また総ての契約済加入者の加入者情報を、共通の加入者情報共通管理手段で一括して、または各電話会議装置に設けられた加入者情報相互管理手段で相互に連繋し乍ら分担して管理する電話会議予約方式」が開示されている（例えば、特許文献１参照）。
【特許文献１】特開平８−５１４８３号公報  （第２−５頁）
【発明の開示】
【発明が解決しようとする課題】
【０００５】
これからはユビキタス社会と言われているように、いつでもどこでもネットワークに参加できるようになれば、人々は電話代や時間やアクセスの速度を気にせずに情報の交換をすることができるようになる。このような時代に、電話会議をやるのにいちいち電話会議専用の装置が必要であったり、電話会議専用の装置が設置されている会議室の予約が必要であっては電話会議のメリットはないも等しいものになってきてしまう。
【０００６】
本発明は、特に大がかりな電話会議専用の設備を必要とせずに、かつ不正に電話会議に参入されることなく、インターネット上に接続されているパソコンを用いて３者間での電話会議を可能とさせることを目的としている。
【課題を解決するための手段】
【０００７】
図１は、本発明の実施例の全体構成図が示してある。本発明の会議呼制御プログラム１００は会議呼制御クライアントＡ１として振る舞うコンピュータのＣＰＵである会議呼制御装置１０上で実行され、例えば会議呼制御クライアントＢ２、及び会議呼制御クライアントＣ３との３者間における電話会議を可能とするものである。
【０００８】
会議呼制御プログラムは、第１接続呼で左右何れかの受話器を使用するかの受話器選択情報を記憶装置に記憶させる受話器情報記憶手段と、ユーザからの入力情報、およびユーザに対する出力情報の入出力制御を行う入出力制御手段と、通信ネットワークを介して接続先のクライアント宛て制御信号を送信し、接続先のクライアントからの制御信号を受信する信号処理手段と、前記入出力制御手段が入力したユーザの入力情報と前記信号処理手段が受信した接続先のクライアントからの制御信号に基づき会議呼の状態制御、接続先のクライアント宛て制御信号の生成、及び前記受話器選択情報に基づき送話・受話の音声接続制御情報を生成する呼制御手段と、前記音声接続制御情報に基づき、音声制御装置からの送話入力を送話パケットとして通信ネットワークを介して接続先クライアントに送信し、通信ネットワークを介して接続先クライアントから受信した受話音声パケットを音声制御装置に出力する音声制御手段としてコンピュータを機能させることにより、専用の電話会議装置を必要とすることなくインターネットに接続されている３台のパソコン間での電話会議が可能となる。
【０００９】
また、電話会議の発起人となる会議呼制御クライアントの呼制御手段は、会議毎にユニークな会議ＩＤを生成し、前記会議ＩＤを接続先のクライアント宛て制御信号に付加して信号処理手段に送信することにより、例えばユーザＡの会議呼制御クライアントとユーザＢの会議呼制御クライアント間が接続確立され、ユーザＢの会議呼制御クライアントとユーザＣの会議呼制御クライアント間が接続確立されているときに、悪意をもったユーザＤがユーザＣになりすまし会議に参加しようとしても、電話会議の発起人となる会議呼制御クライアント生成する会議ＩＤを知ることができないため不正な会議参加の防止が可能となる。
【発明の効果】
【００１０】
電話会議専用の設備を必要とせずに、インターネット上に接続されているパソコンを用いて３者間での電話会議が可能となる。
【発明を実施するための最良の形態】
【００１１】
【実施例】
【００１２】
図１には本発明に係る実施例の全体構成図が示してある。通信ネットワーク４を介して、会議呼制御クライアントＡ１、会議呼制御クライアントＢ２、及び会議呼制御クライアントＣ３が接続されており、ユーザは各クライアントに接続されているヘッドセットを使用して電話会議を行う。それぞれのクライアントの構成は同一であるため、会議呼制御クライアントＡ１を例にして会議呼制御クライアントの構成を説明する。
【００１３】
会議呼制御クライアントＡ１には、会議呼制御装置１０として振る舞うＣＰＵ、記憶装置１１、内部スピーカ１４やヘッドセット１５とのインタフェースである音声制御装置１２、及び通信回線とのインタフェースであるＮｅｔｗｏｒｋ  Ｉｎｔｅｒｆａｃｅ  Ｃａｒｄ１３備え、通話状態を表示したりユーザが操作入力するための入出力装置１６、電話器の働きをするヘッドセット１５が接続されている。ヘッドセット１５には、左側の受話器Ｌ１５１、右側の受話器Ｒ１５２、及び送話器（マイク）１５３が組み込まれている。
【００１４】
会議呼制御装置１０では、第１接続呼で左右何れかの受話器を使用するかの受話器選択情報を記憶装置１１上に置いた図２で示す呼制御ブロック（ＣＣＢ：Ｃａｌｌ  Ｃｏｎｔｒｏｌ  Ｂｌｏｃｋ）に記憶させる受話器情報記憶手段１０１と、入出力装置１６を介してユーザからの入力情報、およびユーザに対する出力情報の入出力制御を行う入出力制御手段１０４と、通信ネットワーク４を介して接続先のクライアント宛て制御信号を送信し、接続先のクライアントからの制御信号を受信する信号処理手段１０３と、入出力制御手段１０４が入力したユーザの入力情報と前記信号処理手段が受信した接続先のクライアントからの制御信号に基づき会議呼の状態制御、接続先のクライアント宛て制御信号の生成、及び記憶装置１１に記憶させておいた受話器選択情報に基づき送話・受話の音声接続制御情報を生成する呼制御手段１０２と、呼制御手段１０２が生成した音声接続制御情報に基づき、音声制御装置１２からの送話入力を送話パケットとして接続先クライアントに送信し、通信ネットワーク４を介して接続先クライアントから受信した受話音声パケットを音声制御装置１２に出力する音声制御手段１０５から構成される会議呼制御プログラム１００が実行する。
【００１５】
なお、記憶装置１１は主記憶装置である必要はなく、外部記憶装置であっても構わない。また、図２で示す呼制御ブロックはクライアントのハードウェア構成の状況に応じて情報を部分的に主記憶装置と外部記憶装置に分離して記憶させても構わない。
【００１６】
図２は、呼制御ブロックの例が示してある。発起人は会議を設定・確立する人を指定し、ＵＲＩ（Uniform Resource Identifiers）などで表す。会議設定方法はＰ１，Ｐ２，Ｐ３−１，Ｐ３−２で指定する。詳細については図９を参照されたい。受話器優先度は、＃１接続の受話器のＲ（右）／Ｌ（左）を指定する。会議ＩＤは、会議の識別番号／トークンを指定する。会議設定方法P1のループバック設定方式の場合，最終接続（C→A）でAが発行したCIDをCから来たものと照合チェックを行い、OKであれば受け入れるがNGの時は、拒否する。P3の場合でも最終接続（C→B）で、BはAが発行したCIDをCから来たものと照合チェックを行いOKであれば受け入れるがNGの時は拒否する。
【００１７】
名前は、各接続先相手の名称を指定する。電話番号は、各接続先相手の電話番号を指定する。ＵＲＩは、各接続先相手のＵＲＩを指定する。ＩＰアドレスは、各接続先相手のＩＰアドレスを指定する。Ｐｏｒｔは、各接続先相手のＰｏｒｔ番号を指定する。呼状態は、各ユーザのクライアントの呼状態を、空（呼出待ち）、呼出中、被呼出中、通話中、中断中（通話中であったが、割り込みによって中断）で指定する。送話接続状態は、○（接続上他）、△（中断状態）、×（非接続状態）で指定する。
【００１８】
受話接続状態のＲ／Ｌは、各接続先から受信する音声をヘッドセットのＲ（右）の受話器で受けるか、Ｌ（左）の受話器で受けるかを指定する。受話接続状態の接続は、受話接続状態を、空、呼出中、被呼出中、通話中、中断中で指定する。Ｂ−Ｃ間接続状態は、接続相手の２者間の接続状態を、○（接続状態）、＞（＃１接続相手から＃２接続相手を呼出中）、＜（＃２接続相手から＃１接続相手を呼出中）、０（非接続状態）で指定する。なお、略称は会議通話制御データの各項目を本明細書の中で説明するときに使用するものである。
【００１９】
図３は、図９で示す本発明の３者会議通話方式における会議確立パターンＰ１の状態遷移図が示してある。なお、この状態遷移図には、ユーザＡ，Ｂ，ＣのＡｇｅｎｔのプログラムの処理の流れについても示してある。先ずユーザＡのＡｇｅｎｔの状態遷移と処理の流れについて説明する。「初期状態」は以下の通りである（Ｓ１Ａ０）。
【００２０】
CS#1=空、MS#1=×、RS#1=×
CS#2=空、MS#2=×、RS#2=×
この状態で、ユーザＡからユーザＢに対して接続要求の指示操作が行われると、ユーザＡのＡｇｅｎｔはユーザＡからの会議設定方法Ｐ１でユーザＢへ会議接続要求を受けて、ユーザＢ（ＩＰアドレスＩＰｂ）へＣＩＤデータを含む呼出信号を送出するとともに、ユーザＡのクライアントに接続されている入出力装置又はスピーカに、呼出表示情報又は呼出音情報を送出する（Ｔ１Ａ１）。状態は、以下のように「第１接続呼出中」に遷移する（Ｓ１Ａ１）。
【００２１】
CS#1＝呼出中
この状態で、ユーザＢのクライアントから応答信号を受信すると、ユーザＢとの呼出接続処理を行う。このユーザＡ−Ｂ間の応答接続処理は、ユーザＡからの送話パケットをユーザＢに送り、ユーザＢからの送話パケットを受話器の右又は左に出力することにより行う。更に、ユーザＡのクライアントにはユーザＢからの応答の表示又は呼出音を停止することによりユーザＢが応答したことを通知する（Ｔ１Ａ２）。状態は、以下のように「第１接続完了」に遷移する（Ｓ１Ａ２）。なお、Ｍａ→ＲｂはユーザＡのマイクから入力された音声情報がユーザＢの受話器に出力されることを表している。
【００２２】
CS#1=通話中、MS#1=○、RS#1=○
この状態で、ユーザＣのクライアントから呼出信号を受信すると、ユーザＡのクライアントに接続されている入出力装置又はスピーカに対してユーザＣからの呼出要求があった旨の呼出表示情報又は呼出音情報を送出する（Ｔ１Ａ３）。なお、この呼出表示には最初に発行したＣＩＤの照合チェック結果を含む。状態は、以下のように「第２応答待ち」に遷移する。
【００２３】
CS#2=被呼出中
この状態で、ユーザＡからユーザＢに対して応答の指示操作が行われるとユーザＡのＡｇｅｎｔはユーザＡ−Ｃ間の応答接続処理を行い、ユーザＣのクライアントへ応答信号を送出する。このユーザＡ−Ｃ間の応答接続処理は、ユーザＡからの送話パケットをユーザＣのクライアントに送り、ユーザＣからの送話パケットを受話器の右又は左に出力することにより行う。また、ユーザＢのクライアントに対してはＡ−Ｃ間の接続確立を通知し、ユーザＡのクライアントに接続されている入出力装置に会議確立完了情報を送出する（Ｔ１Ａ４）。状態は、以下のように「第２接続完了」に遷移し（Ｓ１Ａ４）、電話会議におけるユーザＡ、Ｂ、Ｃ間の接続が確立される。
【００２４】
CS#1=通話中、MS#1=○、RS#1=○
CS#2=通話中、MS#2=○、RS#2=○
C12=○
次に、ユーザＢのＡｇｅｎｔの状態遷移と処理の流れについて説明する。「初期状態」は以下の通りである（Ｓ１Ｂ０）。
【００２５】
CS#1=空、MS#1=×、RS#1=×
CS#2=空、MS#2=×、RS#2=×
この状態で、ユーザＡのクライアントから呼出信号を受信すると、ユーザＢのＡｇｅｎｔはユーザＢのクライアントに接続されている入出力装置又はスピーカに、呼出表示情報又は呼出音情報を送出する（Ｔ１Ｂ１）。状態は、以下のように「第１接続呼出中」に遷移する（Ｓ１Ｂ１）。
【００２６】
CS#1=被呼出中
この状態で、ユーザＢからユーザＡに対して応答の指示操作が行われると、ユーザＢのＡｇｅｎｔはユーザＡ−Ｂ間の応答接続処理を行い、ユーザＡのクライアントへ応答信号を送出するとともに、ユーザＢからユーザＣへの接続要求の催促情報をユーザＢのクライアントに接続されている入出力装置に送出する（Ｔ１Ｂ２）。状態は、以下のように「第１接続完了」に遷移する（Ｓ１Ｂ２）。
【００２７】
CS#1=通話中、MS#1=○、RS#1=○
この状態で、ユーザＢからユーザＣへ接続要求の指示操作が行われると、ユーザＢのＡｇｅｎｔはユーザＣ（ＩＰｃ）のクライアントへ呼出信号を送出するとともに、ユーザＢのクライアントに接続されている入出力装置又はスピーカに、呼出表示情報又は呼出音情報を送出する（Ｔ１Ｂ３）。なお、この呼出信号にはユーザＡから発行されたＣＩＤデータが含まれる。状態は、以下のように「第２接続呼出中」に遷移する（Ｓ１Ｂ３）。
【００２８】
CS#2=呼出中
この状態で、ユーザＣのクライアントから応答信号を受信すると、ユーザＢのＡｇｅｎｔはユーザＢ−Ｃ間の応答接続処理を行う（Ｔ１Ｂ４）。状態は、以下のように「第２接続完了」に遷移し（Ｓ１Ｂ４）、会議確立が完了した旨の表示をユーザＢのクライアントに接続されている入出力装置に表示する（Ｔ１Ｂ５）。
【００２９】
CS#1=通話中、MS#1=○、RS#1=○
CS#2=通話中、MS#2=○、RS#2=○
次に、ユーザＣのＡｇｅｎｔの状態遷移と処理の流れについて説明する。「初期状態」は以下の通りである（Ｓ１Ｃ０）。
【００３０】
CS#1=空、MS#1=×、RS#1=×
CS#2=空、MS#2=×、RS#2=×
この状態で、ユーザＢのクライアントから呼出信号を受信すると、ユーザＣのＡｇｅｎｔはユーザＣのクライアントに接続されている入出力装置又はスピーカに、呼出表示情報又は呼出音情報を送出する（Ｔ１Ｃ１）。状態は、以下のように「第１接続呼出中」に遷移する（Ｓ１Ｃ１）。
【００３１】
CS#1=被呼出中
この状態で、ユーザＣからユーザＢに対して応答の指示操作が行われると、ユーザＣのＡｇｅｎｔはユーザＢ−Ｃ間の応答接続処理を行い、ユーザＢのクライアントへ応答信号を送出するとともに、ユーザＣからユーザＡへの接続要求の催促情報をユーザＣのクライアントに接続されている入出力装置に送出する（Ｔ１Ｃ２）。状態は、以下のように「第１接続完了」に遷移する（Ｓ１Ｃ２）。
【００３２】
CS#1=通話中、MS#1=○、RS#1=○
この状態で、ユーザＣからユーザＡに対して接続要求の指示操作が行われると、ユーザＣのＡｇｅｎｔはユーザＡのクライアントへ呼出信号を送出するとともに、ユーザＣのクライアントに接続されている入出力装置又はスピーカに、呼出表示情報又は呼出音情報を送出する（Ｔ１Ｃ３）。なお、この呼出信号にはユーザＡから発行されたＣＩＤデータが含まれる。状態は、以下のように「第２接続呼出中」に遷移する（Ｓ１Ｃ３）。
【００３３】
CS#2=呼出中
この状態で、ユーザＡのクライアントから応答信号を受信すると、ユーザＣのＡｇｅｎｔはユーザＡ−Ｃ間の応答接続処理を行う（Ｔ１Ｃ４）。状態は、以下のように「第２接続完了」に遷移し（Ｓ１Ｃ４）、会議確立が完了した旨の表示をユーザＣのクライアントに接続されている入出力装置に表示する。
【００３４】
CS#1=通話中、MS#1=○、RS#1=○
CS#2=通話中、MS#2=○、RS#2=○
C12=○
なお、入出力制御手段１０４、信号処理手段１０３、音声制御手段１０５は従来技術であるため処理の詳細については省略する。各ユーザのクライアントで会議呼制御プログラム１００が上記の処理を行うことにより、特に大がかりな電話会議専用の設備を必要とせずに、かつ不正に電話会議に参入されることなく、インターネット上に接続されているパソコンを用いて３者間での電話会議を可能となる。また、ヘッドセットの代わりに、左右対のスピーカとマイクを使用することにより、複数の者が参加できる３拠点間の電話会議も可能となる。
【００３５】
図４は、図９で示す本発明の３者会議通話方式における会議確立パターンＰ２の状態遷移図が示してある。なお、この状態遷移図には、ユーザＡ，Ｂ，ＣのＡｇｅｎｔのプログラムの処理の流れについても示してある。先ずユーザＡのＡｇｅｎｔの状態遷移と処理の流れについて説明する。「初期状態」は以下の通りである（Ｓ２Ａ０）。
【００３６】
CS#1=空、MS#1=×、RS#1=×
CS#2=空、MS#2=×、RS#2=×
この状態で、ユーザＡからユーザＢに対して接続要求の指示操作が行われると、ユーザＡのＡｇｅｎｔはユーザＡからの会議設定方法Ｐ２でユーザＢへ会議接続要求を受けて、ユーザＢ（ＩＰｂ）へＣＩＤデータを含む呼出信号を送出するとともに、ユーザＡのクライアントに接続されている入出力装置又はスピーカに、呼出表示情報又は呼出音情報を送出する（Ｔ２Ａ１）。状態は、以下のように「第１接続呼出中」に遷移する（Ｓ２Ａ１）。
【００３７】
CS#1＝呼出中
この状態で、ユーザＢのクライアントから応答信号を受信すると、ユーザＢとの呼出接続処理を行う。このユーザＡ−Ｂ間の応答接続処理は、ユーザＡからの送話パケットをユーザＢに送り、ユーザＢからの送話パケットを受話器の右又は左に出力することにより行う。また、ユーザＡのクライアントにはユーザＢからの応答の表示又は呼出音を停止することによりユーザＢが応答したことを通知するとともに、第２接続の催促を表示する（Ｔ２Ａ２）。状態は以下のように、「第１接続完了」に遷移する（Ｓ２Ａ２）。
【００３８】
CS#1=通話中、MS#1=○、RS#1=○
この状態で、ユーザＡからユーザＣに対して接続要求の指示操作が行われると、ユーザＡのＡｇｅｎｔはユーザＣのクライアントに対して呼出信号を送出する（Ｔ２Ａ３）。なお、この呼出信号にはＣＩＤデータが含まれる。状態は以下のように、「第２接続応答待」に遷移する（Ｓ２Ａ３）。
【００３９】
CS#2=呼出中
この状態で、ユーザＣのクライアントから応答信号を受信すると、ユーザＡ−Ｃ間の呼出接続処理を行う（Ｔ２Ａ４）。なお、ユーザＣのクライアントに接続されている入出力装置には会議確立が完了した旨の表示を行う。状態は以下のように、「第２接続完了」に遷移する（Ｓ２Ａ４）。
【００４０】
CS#1=通話中、MS#1=○、RS#1=○
CS#2=通話中、MS#2=○、RS#2=○
次に、ユーザＢのＡｇｅｎｔの状態遷移と処理の流れについて説明する。「初期状態」は以下の通りである（Ｓ２Ｂ０）。
【００４１】
CS#1=空、MS#1=×、RS#1=×
CS#2=空、MS#2=×、RS#2=×
この状態で、ユーザＡのクライアントから呼出信号を受信すると、ユーザＢのＡｇｅｎｔはユーザＢのクライアントに接続されている入出力装置又はスピーカに、呼出表示情報又は呼出音情報を送出する（Ｔ２Ｂ１）。状態は、以下のように「第１接続呼出中」に遷移する（Ｓ２Ｂ１）。
【００４２】
CS#1=被呼出中
この状態で、ユーザＢからユーザＡに対して応答の指示操作が行われると、ユーザＢのＡｇｅｎｔはユーザＡ−Ｂ間の応答接続処理を行い、ユーザＡのクライアントへ応答信号を送出する（Ｔ２Ｂ２）。状態は、以下のように「第１接続完了」に遷移する（Ｓ２Ｂ２）。
【００４３】
CS#1=通話中、MS#1=○、RS#1=○
この状態で、ユーザＣのクライアントから呼出信号を受信すると、ユーザＢのＡｇｅｎｔはユーザＢのクライアントに接続されている入出力装置又はスピーカに、呼出表示情報又は呼出音情報を送出する（Ｔ２Ｂ３）。なお、この場合、ユーザＡからのＣＩＤとユーザＣからのＣＩＤの照合結果も表示する。状態は、以下のように「第２接続応答待」に遷移する（Ｓ２Ｂ３）。
【００４４】
CS#2=被呼出中
この状態で、ユーザＢからユーザＣに対して応答の指示操作が行われると、ユーザBのＡｇｅｎｔはユーザＢ−Ｃ間の応答接続処理を行い、ユーザＣのクライアントへ応答信号を送出し、ユーザＢのクライアントには会議確立完了情報を送出する（Ｔ２Ｂ４）。状態は、以下のように「第２接続完了」に遷移する（Ｓ２Ｂ４）。
【００４５】
CS#1=通話中、MS#1=○、RS#1=○
CS#2=通話中、MS#2=○、RS#2=○
C12=○
次に、ユーザＣのＡｇｅｎｔの状態遷移と処理の流れについて説明する。「初期状態」は以下の通りである（Ｓ２Ｃ０）。
【００４６】
CS#1=空、MS#1=×、RS#1=×
CS#2=空、MS#2=×、RS#2=×
この状態で、ユーザＡのクライアントから呼出信号を受信すると、ユーザＣのＡｇｅｎｔはユーザＣのクライアントに接続されている入出力装置又はスピーカに、呼出表示情報又は呼出音情報を送出する（Ｔ２Ｃ１）。状態は、以下のように「第１接続呼出中」に遷移する（Ｓ２Ｃ１）。
【００４７】
CS#1=被呼出中
この状態で、ユーザＣからユーザＡに対して応答の指示操作が行われると、ユーザＣのＡｇｅｎｔはユーザＡ−Ｃ間の応答接続処理を行い、ユーザＡのクライアントへ応答信号を送出するとともに、ユーザＣからユーザＢへの接続要求の催促情報をユーザＣのクライアントに接続されている入出力装置に送出する（Ｔ２Ｃ２）。状態は、以下のように「第１接続完了」に遷移する（Ｓ２Ｃ２）。
【００４８】
CS#1=通話中、MS#1=○、RS#1=○
この状態で、ユーザＣからユーザＢに対して接続要求の指示操作が行われると、ユーザＣのＡｇｅｎｔはユーザＢのクライアントへ呼出信号を送出するとともに、ユーザＣのクライアントに接続されている入出力装置又はスピーカに、呼出表示情報又は呼出音情報を送出する（Ｔ２Ｃ３）。なお、この呼出信号にはＣＩＤデータが含まれる。状態は、以下のように「第２接続呼出中」に遷移する（Ｓ２Ｃ３）。
【００４９】
CS#2=呼出中
この状態で、ユーザＢのクライアントから応答信号を受信すると、ユーザＣのＡｇｅｎｔはユーザＢ−Ｃ間の応答接続処理を行う（Ｔ２Ｃ４）。状態は、以下のように「第２接続完了」に遷移し（Ｓ２Ｃ４）、会議確立が完了した旨の表示をユーザＣのクライアントに接続されている入出力装置に表示する。
【００５０】
CS#1=通話中、MS#1=○、RS#1=○
CS#2=通話中、MS#2=○、RS#2=○
C12=○
図５は、図９で示す本発明の３者会議通話方式における会議確立パターンＰ３−１の状態遷移図が示してある。なお、この状態遷移図には、ユーザＡ，Ｂ，ＣのＡｇｅｎｔのプログラムの処理の流れについても示してある。先ずユーザＡのＡｇｅｎｔの状態遷移と処理の流れについて説明する。「初期状態」は以下の通りである（Ｓ３Ａ０）。なお、「第１接続完了」までは、Ｐ１の場合と同様であるので説明は省略する。
【００５１】
CS#1=空、MS#1=×、RS#1=×
CS#2=空、MS#2=×、RS#2=×
「第１接続完了」の状態は以下の通りである（Ｓ３Ａ２）。
【００５２】
CS#1=通話中、MS#1=○、RS#1=○
この状態で、ユーザＣのクライアントから呼出信号を受信すると、ユーザＡのＡｇｅｎｔは、ユーザＡへのクライアントに接続されている入出力装置に呼出表示を行う。この場合、「直接会議応答」または「中断応答」の選択が可能な応答オプションメニュ-を表示する（Ｔ３Ａ３）。  状態は、以下のように「第２接続呼出中」に遷移する（Ｓ３Ａ３）。
【００５３】
CS#2=被呼出中
この状態で、ユーザＡからユーザＣに対する直接会議応答の指示操作が行われると、ユーザＡのＡｇｅｎｔはユーザＣのクライアントへ直接会議応答信号を送出するとともに、ユーザＢに対しても直接会議応答信号を送出する（Ｔ３Ａ４）。なお、何れの直接会議応答信号に対してもＣＩＤ情報を含む。状態は、以下のように「会議応答状態」に遷移する（Ｓ３Ａ４）。
【００５４】
CS#1=通話中、MS#1=○、RS#1=○
CS#2=通話中、MS#2=○、RS#2=○
C12=○
この状態で、ユーザＢのクライアントからＢ−Ｃ間接続確立のメッセージを受信するとユーザＡのＡｇｅｎｔは、会議接続確立の旨をユーザＡのクライアントに接続されている入出力装置に出力する（Ｔ３Ａ５）。
【００５５】
次に、ユーザＢのＡｇｅｎｔの状態遷移と処理の流れについて説明する。「初期状態」は以下の通りである（Ｓ３Ｂ０）。なお、「第１接続完了」までは、Ｐ１の場合と同様であるので説明は省略する。
【００５６】
CS#1=空、MS#1=×、RS#1=×
CS#2=空、MS#2=×、RS#2=×
「第１接続完了」の状態は以下の通りである（Ｓ３Ｂ２）。
【００５７】
CS#1=通話中、MS#1=○、RS#1=○
この状態で、ユーザＡのクライアントから直接会議応答信号を受信すると、ユーザＢのＡｇｅｎｔは会議応答の旨をユーザＢのクライアントに接続されている入出力装置に出力する（Ｔ３Ｂ３）。状態は、以下のように「会議設定待」に遷移する（Ｓ３Ｂ３）。
【００５８】
CS#2=空
この状態で、ユーザＣのクライアントから呼出信号を受信すると、ユーザＢのＡｇｅｎｔはユーザＣからの呼出しの旨をユーザＢのクライアントに接続されている入出力装置に出力する（Ｔ３Ｂ４）。なお、この場合、ユーザＡからのＣＩＤとユーザＣからのＣＩＤの照合結果も表示する。状態は、以下のように「会議設定待」に遷移する（Ｓ３Ｂ４）。
【００５９】
CS#2=被呼出中
この状態で、ユーザＢからユーザＣに対して応答の指示操作が行われると、ユーザＢのＡｇｅｎｔはユーザＢ−Ｃ間の応答接続処理を行い、ユーザＣのクライアントへ応答信号を送出するとともに、ユーザＡのクライアントへはＢ−Ｃ間接続確立の旨の情報を送出する。そして、ユーザＢのクライアントに接続されている入出力装置には会議確立完了の旨を表示する（Ｔ３Ｂ５）。状態は、以下のように「会議設定完」に遷移する（Ｓ３Ｂ５）。以降は従来の電話会議の処理であるため省略する。
【００６０】
CS#1=通話中、MS#1=○、RS#1=○
CS#2=通話中、MS#2=○、RS#2=○
C12=○
次に、ユーザＣのＡｇｅｎｔの状態遷移と処理の流れについて説明する。「初期状態」は以下の通りである（Ｓ３Ｃ０）。
【００６１】
CS#1=空、MS#1=×、RS#1=×
CS#2=空、MS#2=×、RS#2=×
この状態で、ユーザＣからユーザＡに対して接続要求の指示操作が行われると、ユーザＣのＡｇｅｎｔはユーザＡのクライアントへ呼出信号を送出するとともにユーザＣのクライアントに接続されている入出力装置又はスピーカに、呼出表示情報又は呼出音情報を送出する（Ｔ３Ｃ３）。状態は、以下のように「第１接続呼出中」に遷移する（Ｓ３Ｃ３）。
【００６２】
CS#1=呼出中
この状態で、ユーザＡのクライアントからの直接会議応答信号を受信すると、ユーザＣのＡｇｅｎｔはユーザＡ−Ｃ間の呼出接続処理を行うとともにユーザＣのクライアントに接続されている入出力装置にユーザＡからの「直接会議応答」及びユーザＢに対する「接続催促」を表示する（Ｔ３Ｃ４）。状態は、以下のように「第１接続完了」に遷移する（Ｓ３Ｃ４）。
【００６３】
CS#1=通話中、MS#1=○、RS#1=○
この状態で、ユーザＣからユーザＢへの接続要求の指示操作が行われると、ユーザＣのＡｇｅｎｔはユーザＢのクライアントへ呼出信号を送出するとともに、ユーザＣのクライアントに接続されている入出力装置又はスピーカに、呼出表示情報又は呼出音情報を送出する（Ｔ３Ｃ５）。なお、この呼出信号にはＣＩＤデータが含まれる。状態は、以下のように「第２接続呼出中」に遷移する（Ｓ３Ｃ５）。
【００６４】
CS#2=呼出中
この状態で、ユーザＢのクライアントから応答信号を受信すると、ユーザＣのＡｇｅｎｔはユーザＣ−Ｂ間の呼出接続処理を行うとともに、ユーザＣのクライアントに接続されている入出力装置に会議確立完了の表示を行う（Ｔ３Ｃ６）。状態は、以下のように「第２接続完了」に遷移する（Ｓ３Ｃ６）。
【００６５】
CS#1=通話中、MS#1=○、RS#1=○
CS#2=通話中、MS#2=○、RS#2=○
C12=○
図６は、図９で示す本発明の３者会議通話方式における会議確立パターンＰ３−２の状態遷移図が示してある。なお、この状態遷移図には、ユーザＡ，Ｂ，ＣのＡｇｅｎｔのプログラムの処理の流れについても示してある。先ずユーザＡのＡｇｅｎｔの状態遷移と処理の流れについて説明する。「初期状態」は以下の通りである（Ｓ４Ａ０）。なお、「第１接続完了」までは、Ｐ１の場合と同様であるので説明は省略する。
【００６６】
CS#1=空、MS#1=×、RS#1=×
CS#2=空、MS#2=×、RS#2=×
「第１接続完了」の状態は以下の通りである（Ｓ４Ａ２）。
【００６７】
CS#1=通話中、MS#1=○、RS#1=○
この状態で、ユーザＣのクライアントから呼出信号を受信すると、ユーザＡのＡｇｅｎｔは、ユーザＡのクライアントに接続されている入出力装置に呼出表示を行う。この場合、「直接会議応答」または「中断応答」の選択が可能な応答オプションメニュ-を表示する（Ｔ４Ａ３）。  状態は、以下のように「第２接続呼出中」に遷移する（Ｓ４Ａ３）。
【００６８】
CS#2=被呼出中
この状態で、ユーザＡからユーザＢに対する中断応答の指示操作が行われると、ユーザＡのＡｇｅｎｔはユーザＣのクライアントへ応答信号を送出するとともに、ユーザＢに対する接続は中断する（Ｔ４Ａ４）。状態は、以下のように「中断応答状態」に遷移する（Ｓ４Ａ４）。
【００６９】
CS#1=通話中、MS#1=△、RS#1=○
CS#2=通話中、MS#2=○、RS#2=○
この状態で、ユーザＡから会議設定要求の指示操作が行われると、ユーザＡのＡｇｅｎｔはユーザＢのクライアントとユーザＣのクライアントへ会議設定信号を送出し、中断していたユーザＡ−Ｂ間の接続を復旧する（Ｔ４Ａ５）。なお、この会議設定信号には、ＣＩＤを含む。状態は、以下のように「会議設定待」に遷移する（Ｓ４Ａ５）。
【００７０】
CS#1=通話中、MS#1=○、RS#1=○
CS#2=通話中、MS#2=○、RS#2=○
この状態で、ユーザＢのクライアントから「Ｂ−Ｃ間接続確立」の旨のメッセージを受信すると、ユーザＡのクライアントに接続されている入出力装置に「会議確立完了」の旨表示を行う（Ｔ４Ａ６）。状態は、以下のように「会議設定完」に遷移する（Ｓ４Ａ６）。
【００７１】
CS#1=通話中、MS#1=○、RS#1=○
CS#2=通話中、MS#2=○、RS#2=○
C12=○
次に、ユーザＢのＡｇｅｎｔの状態遷移と処理の流れについて説明する。「初期状態」は以下の通りである（Ｓ４Ｂ０）。なお、「第１接続完了」までは、Ｐ１の場合と同様であるので説明は省略する。
【００７２】
CS#1=空、MS#1=×、RS#1=×
CS#2=空、MS#2=×、RS#2=×
「第１接続完了」の状態は以下の通りである（Ｓ４Ｂ２）。
【００７３】
CS#1=通話中、MS#1=○、RS#1=○
この状態で、ユーザＡのクライアントから中断応答信号を受信すると、ユーザＢのＡｇｅｎｔは中断応答の旨をユーザＢのクライアントに接続されている入出力装置に出力する（Ｔ４Ｂ３）。状態は、以下のように「会議設定待」に遷移する（Ｓ４Ｂ３）。
【００７４】
中断復旧待ち
この状態で、ユーザＡのクライアントから「会議設定」の旨のメッセージを受信すると、ユーザＢのＡｇｅｎｔは会議設定の旨をユーザＢのクライアントに接続されている入出力装置に出力する（Ｔ４Ｂ４）。状態は、以下のように「会議設定待」に遷移する（Ｓ４Ｂ４）。
【００７５】
被呼出待ち
この状態で、ユーザＣのクライアントから呼出信号を受信すると、ユーザＢのクライアントに接続されている入出力装置に呼出の旨とＣＩＤの照合結果を表示する（Ｔ４Ｂ５）。状態は、以下のように「会議設定応答待」に遷移する（Ｓ４Ｂ５）
被呼出中
この状態で、ユーザＢからユーザＣへの応答の指示操作が行われると、ユーザＢのＡｇｅｎｔはＢ−Ｃ間の応答接続処理を行い、応答信号をユーザＣのクライアントに送信する。また、ユーザＡのクライアントに対しては、Ｂ−Ｃ間接続完了の旨のメッセージを送信する。更に、ユーザＢのクライアントに接続されている入出力装置には「会議確立完了」の旨の表示を行う（Ｔ４Ｂ６）。
【００７６】
次に、ユーザＣのＡｇｅｎｔの状態遷移と処理の流れについて説明する。「初期状態」は以下の通りである（Ｓ４Ｃ０）。
【００７７】
CS#1=空、MS#1=×、RS#1=×
CS#2=空、MS#2=×、RS#2=×
この状態で、ユーザＣからユーザＡに対して接続要求の指示操作が行われると、ユーザＣのＡｇｅｎｔはユーザＡのクライアントへ呼出信号を送出するとともにユーザＣのクライアントに接続されている入出力装置又はスピーカに、呼出表示情報又は呼出音情報を送出する（Ｔ４Ｃ３）。状態は、以下のように「第１接続呼出中」に遷移する（Ｓ４Ｃ３）。
【００７８】
CS#1=呼出中
この状態で、ユーザＡのクライアントから中断応答信号を受信すると、ユーザＣのＡｇｅｎｔはＡ−Ｃ間の呼出接続処理を行う（Ｔ４Ｃ４）。状態は、以下のように「割込接続状態」に遷移する（Ｓ４Ｃ４）。
【００７９】
この状態で、ユーザＡのクライアントから会議設定のメッセージを受信すると、ユーザＢへの接続催促をユーザＢのクライアントに接続されている入出力装置に表示する（Ｔ４Ｃ５）。状態は、以下のように「会議設定待」に遷移する（Ｓ４Ｃ５）。
【００８０】
Bの呼出待
この状態で、ユーザＣからユーザＢに対して接続要求の指示操作が行われると、ユーザＣのＡｇｅｎｔはユーザＢのクライアントへ呼出信号を送出する（Ｔ４Ｃ６）。なお、この呼出信号にはＣＩＤデータを含む。状態は、以下のように「第２接続呼出中」に遷移する（Ｓ４Ｃ６）。
【００８１】
Bの応答待ち
この状態で、ユーザＢのクライアントから応答信号を受信すると、ユーザＣのＡｇｅｎｔはユーザＣ−Ｂ間の呼出接続処理を行うとともに、ユーザＣのクライアントに接続されている入出力装置に「会議確立完了」の旨の表示を行う（Ｔ４Ｃ７）。状態は、以下のように「第２接続完了」に遷移する（Ｓ４Ｃ７）。
【００８２】
CS#1=通話中、MS#1=○、RS#1=○
CS#2=通話中、MS#2=○、RS#2=○
C12=○
図７は、本発明の３者会議通話方式の送信側と受信側受話器との対応関係が示してある。例えば送信側Ａは、受信側Ｂの受話器Ｌ（左）と受信側Ｃの受話器Ｒ（右）と接続されており、送信側Ｂは、受信側Ａの受話器Ｒと受信側Ｃの受話器Ｌと接続されており、送信側Ｃは、受信側Ａの受話器Ｌと受信側Ｂの受話器Ｒと接続されていることを示している。
【００８３】
図８は、本発明の３者会議通話方式の送信側（マイク）と受信側受話器との対応関係が図示してある。それぞれの対応関係は図７と同様であるため説明は省略する。
【００８４】
図９は、本発明の３者会議通話方式の会議確立パターンについて示してある。Ｐ１は、先ずユーザＡのクライアントからユーザＢのクライアントに呼出信号を送信してＡ−Ｂ間の接続を確立して、次にユーザＢのクライアントからユーザＣのクライアントに呼出信号を送信してＢ−Ｃ間の接続を確立して、最後にユーザＣのクライアントからユーザＡのクライアントに呼出信号を送信してＣ−Ａ間の接続を確立することにより、会議確立を行うパターンである。
【００８５】
Ｐ２は、先ずユーザＡのクライアントからユーザＢのクライアントに呼出信号を送信してＡ−Ｂ間の接続を確立して、次にユーザＡのクライアントからユーザＣのクライアントに呼出信号を送信してＡ−Ｃ間の接続を確立して、最後にユーザＣのクライアントからユーザＢのクライアントに呼出信号を送信してＣ−Ｂ間の接続を確立することにより、会議確立を行うパターンである。
【００８６】
Ｐ３−１は、先ずＡ−Ｂ間の接続が既に確立しているところへ、ユーザＣのクライアントからユーザＡのクライアントに着信して、ユーザＡが会議通話を指定してＡ−Ｃ間の接続を確立して、次にユーザＣのクライアントからユーザＢのクライアントに呼出信号を送信してＣ−Ｂ間の接続を確立することにより、会議確立を行うパターンである。
【００８７】
Ｐ３−２は、先ずＡ−Ｂ間の接続が既に確立しているところへ、ユーザＣのクライアントからユーザＡのクライアントに着信して、ユーザＡがユーザＢとの通話を一旦中断し、ユーザＣと会話してから、会議通話を指定しＡ−Ｂ間の接続を復旧し、次にユーザＣのクライアントからユーザＢのクライアントに呼出信号を送信してＣ−Ｂ間の接続を確立することにより、会議確立を行うパターンである。
【００８８】
図１０は、通話状態表示／操作ガイドが示してある。ユーザのクライアントに接続された入出力装置には、各接続先ユーザの情報や通話状態や、操作メニューが表示される。各接続先ユーザの情報には、例えば名前、電話番号、イメージアイコンなどが表示される。通話情報には、通話中であるとか着信があったなどのイベントが表示される。なお、例えばＡさんから見て左側の受話器にはＢさんからの音声が、右側の受話器にはＣさんからの音声が聞こえているように、実際の受話器と接続先の相手との対応が分かるように表示することが可能である。操作メニューには、例えば着信に対して会議や中断で応答したり、着信内容をボイスメールで保存したり、コールバックや音声メッセージで拒否するなどが指定できる。
【００８９】
図１１から図１４は、図１０で示した各会議確立パターン（Ｐ１、Ｐ２、Ｐ３−１、Ｐ３−２）のユーザクライアント（Ａｇｅｎｔ）間の処理シーケンスを示してある。クライアント間の呼制御信号のやり取り、ユーザとのインタフェース及び各接続（Ａ−Ｂ、Ｂ−Ｃ、Ｃ−Ａ）の送話側と左右受話側の接続状況も示してある。
【００９０】
（付記１）  第１接続呼で左右何れかの受話器を使用するかの受話器選択情報を記憶装置に記憶させる受話器情報記憶手段と、
ユーザからの入力情報、およびユーザに対する出力情報の入出力制御を行う入出力制御手段と、
通信ネットワークを介して接続先のクライアント宛て制御信号を送信し、接続先のクライアントからの制御信号を受信する信号処理手段と、
前記入出力制御手段が入力したユーザの入力情報と前記信号処理手段が受信した接続先のクライアントからの制御信号に基づき会議呼の状態制御、接続先のクライアント宛て制御信号の生成、及び前記受話器選択情報に基づき送話・受話の音声接続制御情報を生成する呼制御手段と、
前記音声接続制御情報に基づき、音声制御装置からの送話入力を送話パケットとして通信ネットワークを介して接続先クライアントに送信し、通信ネットワークを介して接続先クライアントから受信した受話音声パケットを音声制御装置に出力する音声制御手段として
コンピュータを機能させることを特徴とする会議呼制御プログラム。
【００９１】
（付記２）電話会議の発起人となる会議呼制御クライアントの呼制御手段は、会議毎にユニークな会議ＩＤを生成し、前記会議ＩＤを接続先のクライアント宛て制御信号に付加して信号処理手段に送信することを特徴とする付記１記載の会議呼制御プログラム。）
（付記３）第１接続呼で左右何れかの受話器を使用するかの受話器選択情報を記憶装置に記憶させる受話器情報記憶手段と、
ユーザからの入力情報、およびユーザに対する出力情報の入出力制御を行う入出力制御手段と、
通信ネットワークを介して接続先のクライアント宛て制御信号を送信し、接続先のクライアントからの制御信号を受信する信号処理手段と、
前記入出力制御手段が入力したユーザの入力情報と前記信号処理手段が受信した接続先のクライアントからの制御信号に基づき会議呼の状態制御、接続先のクライアント宛て制御信号の生成、及び前記受話器選択情報に基づき送話・受話の音声接続制御情報を生成する呼制御手段と、
前記音声接続制御情報に基づき、音声制御装置からの送話入力を送話パケットとして通信ネットワークを介して接続先クライアントに送信し、通信ネットワークを介して接続先クライアントから受信した受話音声パケットを音声制御装置に出力する音声制御手段と
を有することを特徴とする会議呼制御装置。
【００９２】
（付記４）電話会議の発起人となる会議呼制御クライアントの呼制御手段は、会議毎にユニークな会議ＩＤを生成し、前記会議ＩＤを接続先のクライアント宛て制御信号に付加して信号処理手段に送信することを特徴とする付記３記載の会議呼制御装置。
【００９３】
（付記５）第１接続呼で左右何れかの受話器を使用するかの受話器選択情報を記憶装置に記憶させる受話器情報記憶ステップと、
ユーザからの入力情報、およびユーザに対する出力情報の入出力制御を行う入出力制御ステップと、
通信ネットワークを介して接続先のクライアント宛て制御信号を送信し、接続先のクライアントからの制御信号を受信する信号処理ステップと、
前記入出力制御ステップが入力したユーザの入力情報と前記信号処理ステップが受信した接続先のクライアントからの制御信号に基づき会議呼の状態制御、接続先のクライアント宛て制御信号の生成、及び前記受話器選択情報に基づき送話・受話の音声接続制御情報を生成する呼制御ステップと、
前記音声接続制御情報に基づき、音声制御装置からの送話入力を送話パケットとして通信ネットワークを介して接続先クライアントに送信し、通信ネットワークを介して接続先クライアントから受信した受話音声パケットを音声制御装置に出力する音声制御ステップと
を有することを特徴とする会議呼制御方法。
【図面の簡単な説明】
【００９４】
【図１】実施例の全体構成図
【図２】呼制御ブロック
【図３】Ｐ１の状態遷移図（ユーザＡ／Ｂ／ＣのＡｇｅｎｔの処理を含む）
【図４】Ｐ２の状態遷移図（ユーザＡ／Ｂ／ＣのＡｇｅｎｔの処理を含む）
【図５】Ｐ３−１の状態遷移図（ユーザＡ／Ｂ／ＣのＡｇｅｎｔの処理を含む）
【図６】Ｐ３−２の状態遷移図（ユーザＡ／Ｂ／ＣのＡｇｅｎｔの処理を含む）
【図７】３者会議通話方式（接続表）
【図８】３者会議通話方式（接続図）
【図９】３者会議通話方式（会議確立パターン）
【図１０】通話状態表示／操作ガイド
【図１１】Ｐ１の接続確立シーケンス
【図１２】Ｐ２の接続確立シーケンス
【図１３】Ｐ３−１の接続確立シーケンス
【図１４】Ｐ３−２の接続確立シーケンス
【符号の説明】
【００９５】
１      会議呼制御クライアントＡ
２      会議呼制御クライアントＢ
３      会議呼制御クライアントＣ
４      通信ネットワーク
１０      会議呼制御装置
１１      記憶装置
１２      音声制御装置
１３      Ｎｅｔｗｏｒｋ  Ｉｎｔｅｒｆａｃｅ  Ｃａｒｄ
１４      内部スピーカ
１５      ヘッドセット
１６      入出力装置
１００    会議呼制御プログラム
１０１    受話器情報記憶手段
１０２    呼制御手段
１０３    信号処理手段
１０４    入出力制御手段
１０５    音声制御手段
１５１    受話器Ｌ
１５２    受話器Ｒ
１５３    送話器（マイク）
【図１】
2006108761.tif 000003
【図２】
2006108761.tif 000004
【図３】
2006108761.tif 000005
【図４】
2006108761.tif 000006
【図５】
2006108761.tif 000007
【図６】
2006108761.tif 000008
【図７】
2006108761.tif 000009
【図８】
2006108761.tif 000010
【図９】
2006108761.tif 000011
【図１０】
2006108761.tif 000012
【図１１】
2006108761.tif 000013
【図１２】
2006108761.tif 000014
【図１３】
2006108761.tif 000015
【図１４】
2006108761.tif 000016